(57)【要約】【課題】簡素な構成、構造を有する、タッチパネル及び記憶装置から構成された情報入出力装置を提供する。【解決手段】情報入出力装置は、タッチ位置を検出するための配線４１、及び、配線４１が接続されたタッチパネル制御部を備えたタッチパネル４０、並びに、記憶装置５０から構成されており、記憶装置５０を装着し、タッチパネル４０の所定の位置に接触している装着者７０、及び、配線４１を介して、記憶装置５０とタッチパネル制御部との間で情報の授受が行われる。【選択図】  図１
2013186852.tif 000002
【特許請求の範囲】
【請求項１】
タッチ位置を検出するための配線、及び、配線が接続されたタッチパネル制御部を備えたタッチパネル、並びに、
記憶装置、
から構成されており、
記憶装置を装着し、タッチパネルの所定の位置に接触している装着者、及び、配線を介して、記憶装置とタッチパネル制御部との間で情報の授受が行われる情報入出力装置。
【請求項２】
タッチパネルは、投影型の静電容量方式のタッチパネルから成り、
配線は、検出線及び駆動線から成り、
タッチパネルの所定の位置に接触している装着者と検出線又は駆動線との間で容量結合が生じ、以て、記憶装置とタッチパネル制御部との間で情報の授受が行われる請求項１に記載の情報入出力装置。
【請求項３】
タッチパネル制御部から、配線、及び、記憶装置を装着し、タッチパネルの所定の位置に接触している装着者を介して、記憶装置へと検証開始信号が送出され、
検証開始信号を受け取った記憶装置から、記憶装置を装着し、タッチパネルの所定の位置に接触している装着者、及び、配線を介して、記憶装置に記憶された情報がタッチパネル制御部に送出される請求項１に記載の情報入出力装置。
【請求項４】
装着者のタッチパネルの所定の位置への接触によって、タッチパネル制御部から記憶装置へと検証開始信号の送出が開始される請求項３に記載の情報入出力装置。
【請求項５】
記憶装置に記憶された情報は個人認証情報を含む請求項１に記載の情報入出力装置。
【請求項６】
記憶装置に記憶され、タッチパネル制御部に送出された個人認証情報と、タッチパネル制御部に記憶された個人認証情報との照合を、タッチパネル制御部は行う請求項５に記載の情報入出力装置。
【請求項７】
使用機器が接続されており、
記憶装置に記憶された情報には使用機器情報が含まれる請求項１に記載の情報入出力装置。
【請求項８】
記憶装置に記憶され、タッチパネル制御部に送出された使用機器情報と、タッチパネル制御部における使用機器情報とが一致したとき、タッチパネル制御部は、記憶装置に記憶された情報を使用機器に送出する請求項７に記載の情報入出力装置。
【請求項９】
記憶装置に記憶された情報は、使用機器の使用条件及び／又は使用状態であり、
タッチパネル制御部は、使用機器の使用条件及び／又は使用状態に基づき使用機器を制御する請求項８に記載の情報入出力装置。
【請求項１０】
記憶装置に記憶され、タッチパネル制御部に送出された使用機器情報と、タッチパネル制御部における使用機器情報とが一致したとき、タッチパネル制御部は、使用機器に記憶された使用機器の使用状態及び／又は使用条件を記憶装置に送出し、記憶装置に、使用機器の使用状態及び／又は使用条件を記憶する請求項７に記載の情報入出力装置。
【請求項１１】
記憶装置に記憶され、タッチパネル制御部に送出された使用機器情報と、タッチパネル制御部における使用機器情報とが一致したとき、タッチパネル制御部は、使用機器に記憶されたデータを記憶装置に送出する請求項７に記載の情報入出力装置。
【発明の詳細な説明】
【技術分野】
【０００１】
本開示は、情報入出力装置に関し、より具体的には、タッチパネル及び記憶装置から構成された情報入出力装置（情報入出力システム）に関する。
【背景技術】
【０００２】
情報入出力装置には、屡々、例えば、グラフィカルユーザインターフェース（ＧＵＩ，Graphical User Interface）が用いられており、種々の提案がなされている。このようなＧＵＩを用いた情報入出力装置は、通常、タッチパネルから構成されている。そして、画像情報がタッチパネルに表示され、表示された画像情報に使用者が触れることで、情報の入力が行われる。また、情報の伝達に関しても種々の提案がなされており、その１つに、人体を介して通信を行う人体通信を挙げることができる。
【０００３】
例えば、特開２０１１−０３９９４９には、表示画面と、入力情報としての表示画面へのタッチ位置を検知する検知部と、検知部の検知に基づき出力情報を提供する出力情報提供部と、出力情報提供部が提供する出力情報を人体通信のために表示画面に印加する情報出力部とを有する入出力装置が開示されている。具体的には、例えばオーディオ信号に基づく情報（送信信号）が、送受信電極６２からタッチパネルの表示面３８の表面に印加される。そして、印加された送信信号は、表示面３８にタッチしているユーザ２の指８を通じた矢印４８に示す人体通信により、ヘッドフォン６の受信電極３２に伝えられる。尚、この状態にあっては、ユーザ２の指８をタッチパネル４０の表示面３８に接触し続ける必要がある。指８が離されると、これをタッチ位置検知部５４が感知する（以上、上記特許公開公報の段落番号［００２７］参照）。
【先行技術文献】
【特許文献】
【０００４】
【特許文献１】特開２０１１−０３９９４９
【発明の概要】
【発明が解決しようとする課題】
【０００５】
ところで、上記の特許公開公報に開示されたタッチパネルにあっては、情報を送出するための電極とタッチパネルへの指の接触を検出する電極とが別々の電極から構成されており、タッチパネルの構成が複雑であるといった問題がある。
【０００６】
従って、本開示の目的は、簡素な構成、構造を有する、タッチパネル及び記憶装置から構成された情報入出力装置を提供することにある。
【課題を解決するための手段】
【０００７】
上記の目的を達成するための本開示の情報入出力装置（情報入出力システム）は、
タッチ位置を検出するための配線、及び、配線が接続されたタッチパネル制御部を備えたタッチパネル、並びに、
記憶装置、
から構成されており、
記憶装置を装着し、タッチパネルの所定の位置に接触している装着者、及び、配線を介して、記憶装置とタッチパネル制御部との間で情報の授受が行われる。
【発明の効果】
【０００８】
本開示の情報入出力装置にあっては、記憶装置を装着し、タッチパネルの所定の位置に接触している装着者、及び、タッチ位置を検出するための配線を介して、記憶装置とタッチパネル制御部との間で情報の授受が行われる。従って、情報授受のための特別の電極が不要であり、情報入出力装置の構成、構造の簡素化を図ることができる。
【図面の簡単な説明】
【０００９】
【図１】図１は、実施例１の情報入出力装置の概念図である。
【図２】図２は、タッチパネル及び表示装置の模式的な断面図である。
【図３】図３は、実施例１の情報入出力装置の動作を説明するための流れ図である。
【発明を実施するための形態】
【００１０】
以下、図面を参照して、実施例に基づき本開示を説明するが、本開示は実施例に限定されるものではなく、実施例における種々の数値や材料は例示である。尚、説明は、以下の順序で行う。
１．本開示の情報入出力装置、全般に関する説明
２．実施例１（本開示の情報入出力装置）、その他
【００１１】
［本開示の情報入出力装置、全般に関する説明］
本開示の情報入出力装置におけるタッチパネルの方式として、静電容量方式、抵抗膜方式、加圧抵抗変化方式等を挙げることができるが、中でも、タッチパネルは、投影型の静電容量方式のタッチパネルから成ることが好ましい。そして、この場合、配線は検出線及び駆動線から成り、タッチパネルの所定の位置に接触している装着者と検出線又は駆動線との間で容量結合が生じ、以て、記憶装置とタッチパネル制御部との間で情報の授受が行われる形態とすることが好ましい。タッチパネルは、アウトセル方式であってもよいし、インセル方式であってもよい。
【００１２】
上記の好ましい形態を含む本開示の情報入出力装置において、
タッチパネル制御部から、配線、及び、記憶装置を装着し、タッチパネルの所定の位置に接触している装着者を介して、記憶装置へと検証開始信号が送出され、
検証開始信号を受け取った記憶装置から、記憶装置を装着し、タッチパネルの所定の位置に接触している装着者、及び、配線を介して、記憶装置に記憶された情報がタッチパネル制御部に送出される形態とすることができる。そして、この場合、装着者のタッチパネルの所定の位置への接触によって、タッチパネル制御部から記憶装置へと検証開始信号の送出が開始される形態とすることができる。
【００１３】
以上に説明した各種の好ましい形態を含む本開示の情報入出力装置において、記憶装置に記憶された情報は個人認証情報を含む構成とすることができる。そして、この場合、記憶装置に記憶され、タッチパネル制御部に送出された個人認証情報と、タッチパネル制御部に記憶された個人認証情報との照合を、タッチパネル制御部は行う構成とすることができる。
【００１４】
更には、以上に説明した各種の好ましい形態、構成を含む本開示の情報入出力装置において、情報入出力装置には使用機器が接続されており、記憶装置に記憶された情報には使用機器情報が含まれる構成とすることができる。ここで使用機器情報として、使用機器の型番、識別番号や識別コード等の使用機器を特定する情報だけでなく、使用機器の所有者を挙げることができる。そして、この場合、記憶装置に記憶され、タッチパネル制御部に送出された使用機器情報と、タッチパネル制御部における使用機器情報とが一致したとき、タッチパネル制御部は、記憶装置に記憶された情報を使用機器に送出する構成とすることができる。ここで、記憶装置に記憶され、使用機器に送出される情報として、使用機器にも依るが、使用機器の使用条件及び／又は使用状態を挙げることができる。そして、記憶装置に記憶された情報が使用機器の使用条件及び／又は使用状態である場合、タッチパネル制御部は、使用機器の使用条件及び／又は使用状態に基づき使用機器を制御する構成とすることができる。更には、これらの場合、記憶装置に記憶され、タッチパネル制御部に送出された使用機器情報と、タッチパネル制御部における使用機器情報とが一致したとき、タッチパネル制御部は、使用機器に記憶された使用機器の使用状態及び／又は使用条件を記憶装置に送出し、記憶装置に、使用機器の使用状態及び／又は使用条件を記憶する構成とすることができ、更には、これらの場合、記憶装置に記憶され、タッチパネル制御部に送出された使用機器情報と、タッチパネル制御部における使用機器情報とが一致したとき、タッチパネル制御部は、使用機器に記憶されたデータを記憶装置に送出する構成とすることができる。
【００１５】
以上に説明した各種の好ましい形態、構成を含む本開示の情報入出力装置において、タッチパネルが組み込まれた、あるいは、タッチパネルと一体となった電子機器（電子システムあるいは各種システムを含む）として、携帯電話；スマートフォン；ファクシミリ；デスクトップ型、ノートブック型、モバイル型、タブレット型のパーソナルコンピュータや、スレート・パーソナルコンピュータ；ＰＤＡ（携帯情報端末，Personal Digital Assistant）；ゲーム機やゲーム機の端末；電子ブックや電子書籍、電子新聞等の各種電子ペーパー；電子黒板や電子ボード、デジタルサイネージ等の各種電子掲示板；複写機；複数の機能を搭載した複合的な周辺機器であるＭＦＰ（Multifunction Peripheral）；テレビジョン受像機等の各種家庭用電気製品；デジタルスチルカメラやビデオカメラ、カムコーダ；音楽プレーヤ；玩具；カーナビゲーションシステムやＰＮＤ（Portable Navigation Device, Personal Navigation Device）；監視カメラシステム；駐車場のセキュリティ管理システム；扉の錠前や電磁鎖錠、オートロック；ＰＯＳシステム；電子レジスター；医療機器；ファクトリーオートメーション機器；自動車のインストルメントパネル（ダッシュボード、ダッシュパネル）等を挙げることができる。
【００１６】
また、タッチパネルにあっては、画像情報がタッチパネルに表示され、表示された画像情報に使用者が触れることで情報の入力が行われるが、画像情報の表示装置として、液晶表示装置や有機エレクトロルミネッセンス表示装置（有機ＥＬ表示装置）、プラズマ表示装置、電気泳動表示装置、冷陰極電界放出表示装置といった各種表示装置を挙げることができる。検出線（検出電極、センス線）や駆動線（駆動電極）は、例えばガラス基板やプラスチックフィルム、プラスチックシート、プラスチック基板といった透明な被覆部材によって覆われており、装着者と検出線又は駆動線との間で被覆部材を介した容量結合が生じる。具体的には、複数の検出線が、例えば、Ｙ方向に配されており、複数の駆動線が、例えば、Ｘ方向に配されているグリッド方式を挙げることができる。検出線や駆動線は、透明導電性材料（例えばＩＴＯ）から成る。検出線と駆動線とは、例えばガラス基板やプラスチックフィルム、プラスチックシート、プラスチック基板といった透明な基材を挟んだ状態で形成されている。あるいは又、ワイヤーセンサー方式を採用してもよい。
【００１７】
記憶装置として、情報の授受、入出力の形態にも依るが、所謂ＩＣタグを挙げることができる。記憶装置の形状、形態として、指輪型、腕時計型、ネックレス型、首掛けペンダント型、ブレスレット型を例示することができる。また、情報入出力装置に接続された使用機器（電子システムあるいは各種システムを含む）として、携帯電話；スマートフォン；ファクシミリ；上記の各種パーソナルコンピュータ；所謂クラウドコンピュータ；ＰＤＡ；ゲーム機やゲーム機の端末；上記の各種電子ペーパー；上記の各種電子掲示板；複写機やＭＦＰ；テレビジョン受像機やＤＶＤレコーダ、ハードディスク（ＨＤＤ）レコーダ、各種映像機器、エアーコンディショナー、冷蔵庫、洗濯機、電子レンジ、電子炊飯器、ドアホン等の各種家庭用電気製品；デジタルスチルカメラやビデオカメラ、カムコーダ；音楽プレーヤ；玩具；カーナビゲーションシステムやＰＮＤ；監視カメラシステム；駐車場のセキュリティ管理システム；扉の錠前や電磁鎖錠、オートロック；ＰＯＳシステム；電子レジスター；医療機器；ファクトリーオートメーション機器；自動車を例示することができる。情報入出力装置と使用機器との接続形態として、ブルートゥースやＷｉＦｉを含む無線、有線、各種導波路を用いた接続を挙げることができる。
【実施例１】
【００１８】
実施例１は、本開示の情報入出力装置（情報入出力システム）に関する。図１に、実施例１の情報入出力装置の概念図を示し、図２に、タッチパネル及び表示装置の模式的な断面図を示すが、実施例１の情報入出力装置（情報入出力システム）１０は、
タッチ位置を検出するための配線４１、及び、配線４１が接続されたタッチパネル制御部４７を備えたタッチパネル４０、並びに、
記憶装置（記憶手段）５０、
から構成されている。
【００１９】
実施例１において、タッチパネル４０は、限定するものではないが、電子機器２０としての携帯電話に一体的に組み込まれている。具体的には、タッチパネル４０は、携帯電話に備えられた液晶表示装置や有機ＥＬ表示装置といった表示装置３０と一体となっている。即ち、タッチパネル４０は、透明な接着剤層３８によって表示装置３０に貼り合わされている。また、限定するものではないが、電子機器２０としての携帯電話は、例えば、使用機器６０としてのパーソナルコンピュータに、無線あるいは有線によって（図示した例ではＵＳＢケーブル６１あるいはＬＡＮによって）、接続されている。
【００２０】
そして、記憶装置５０を装着し、タッチパネル４０の所定の位置に接触している装着者、及び、配線４１を介して、記憶装置５０とタッチパネル制御部４７との間で情報の授受が行われる。尚、以下、記憶装置５０を装着し、タッチパネル４０の所定の位置に接触している装着者を、便宜上、『装着者７０』と呼ぶ。
【００２１】
ここで、タッチパネル４０は投影型の静電容量方式のタッチパネルから成り、配線４１は検出線（検出電極、センス線）４２及び駆動線（駆動電極）４３から成る。そして、装着者７０と検出線４２又は駆動線４３との間で容量結合が生じ、以て、記憶装置５０とタッチパネル制御部４７との間で情報の授受が行われる。
【００２２】
模式的な断面図を図２に示すように、具体的には、液晶表示装置から構成された表示装置３０は、ガラス基板から成る第１基板（画素基板）３１、透明導電性材料（例えばＩＴＯ）から成り、第１基板３１上にマトリクス状に形成された第１電極（画素電極）３３、ガラス基板から成り、第１基板３１と対向した第２基板（対向基板）３２、第２基板３２に形成されたカラーフィルタ３５、及び、カラーフィルタ３５の上に形成された透明導電性材料（例えばＩＴＯ）から成る第２電極（共通電極）３４を有する。カラーフィルタ３５は、例えば、赤色、緑色、青色の３色のカラーフィルタ層から成り、これらのカラーフィルタ層が周期的に配列されている。また、第１基板３１と第２基板３２との間には液晶層３６が配されている。尚、参照番号３７は、第１基板３１と第２基板３２の外周部を封止する封止部材である。第１電極（画素電極）３３、液晶層３６、第２電極（共通電極）３４及びカラーフィルタ３５によって１つの表示セル（副画素）が構成され、赤色表示副画素、緑色表示副画素及び青色表示副画素の３つの副画素が１組となって、１つの画素が構成される。液晶層３６は、電界の状態に応じて通過する光を変調するものであり、例えば、ＴＮ（ツイステッドネマティック）、ＶＡ（垂直配向）、ＥＣＢ（電界制御複屈折）、ＦＦＳ（フリンジフィールドスイッチング）、ＩＰＳ（インプレーンスイッチング）等の各種モードの液晶を用いることができる。第１基板３１には、第１電極３３を駆動するための駆動ドライバやＴＦＴ（薄膜トランジスタ）の他、第１電極３３に画素信号を供給するソース線や、ＴＦＴを駆動するゲート線等の配線が形成されているが、これらの図示は省略した。また、第１基板３１及び第２基板３２には、偏光板が配され、配向膜が形成されているが、これらの図示も省略した。尚、表示装置３０にタッチパネル制御部４７を設けてもよい。
【００２３】
タッチパネル４０には、透明なガラス基板から成る基材４４を挟んで、基材４４の上下に検出線４２及び駆動線４３が形成されている。検出線４２は、透明なガラス基板から成る被覆部材４５によって覆われている。ここで、被覆部材４５が、装着者がタッチパネル４０に触れる接触面に相当し、装着者と検出線４２との間で被覆部材４５を介した容量結合が生じる。タッチパネル４０はグリッド方式であり、複数の検出線４２が、例えば、Ｙ方向に配されており、複数の駆動線４３が、例えば、Ｘ方向に配されている。検出線４２及び駆動線４３は、透明導電性材料（例えばＩＴＯ）から成る。検出線４２及び駆動線４３はタッチパネル制御部４７に接続されている。タッチパネル制御部４７、それ自体は、周知の回路から構成すればよい。タッチパネル制御部４７からパルス信号が駆動線４３に時分割的に順次送出され、走査される。そして、検出線４２と駆動線４３の重複領域近傍に指が接近すると、指の容量に起因して検出線４２と駆動線４３との間の電圧に変化が生じる。この電圧変化を検出することで、タッチパネル４０のどの部分に指が接触したかを検出することができる。
【００２４】
実施例１において、記憶装置５０として周知のＩＣタグを用いた。記憶装置５０には書換え可能な不揮発性メモリが備えられている。記憶装置５０の形状、形態として、限定するものではないが、指輪型や腕時計型、ネックレス型、首掛けペンダント型、ブレスレット型を挙げることができる。尚、図示した例では、記憶装置５０はブレスレット型である。そして、図示しない記憶装置５０の信号入出力部は、装着者の肌と直接接している。尚、場合によっては、記憶装置５０の信号入出力部は、装着者の肌と直接接していなくてもよい。即ち、間接的に容量結合している状態であってもよく、具体的には、例えば、記憶装置５０が鞄やハンドバッグの中に収納されている場合を挙げることができる。
【００２５】
以下、実施例１の情報入出力装置の動作を、図３を参照して説明する。
【００２６】
表示装置３０の所定の位置には、装着者の指の接触を促すアイコン４６が表示されているとする。そして、装着者がタッチパネル４０の所定の位置（所定のアイコン４６の上方に位置するタッチパネル４０の領域）に接触すると、これを検出したタッチパネル制御部４７は、記憶装置５０への検証開始信号の送出を開始する。即ち、タッチパネル制御部４７から、配線４１（具体的には、例えば検出線４２）及び装着者７０を介して、記憶装置５０へと検証開始信号が送出される。そして、検証開始信号を受け取った記憶装置５０から、装着者７０及び配線４１を介して、記憶装置５０に記憶された情報、具体的には、個人認証情報がタッチパネル制御部４７に送出される。タッチパネル制御部４７は、記憶装置５０から送られてきた情報（個人認証情報）と、タッチパネル制御部４７に記憶された個人認証情報との照合を行う。
【００２７】
個人認証情報の照合の結果、不一致であった場合、タッチパネル制御部４７は、情報入出力装置の動作を停止させる。
【００２８】
一方、個人認証情報の照合の結果、一致した場合、タッチパネル制御部４７は、記憶装置５０へ、使用機器情報問合せ信号を送出する。即ち、タッチパネル制御部４７から、配線４１（具体的には、例えば検出線４２）及び装着者７０を介して、記憶装置５０へと使用機器情報問合せ信号が送出される。そして、使用機器情報問合せ信号を受け取った記憶装置５０から、装着者７０及び配線４１を介して、記憶装置５０に記憶された情報に含まれる使用機器情報（例えば、使用機器６０を特定する識別番号や識別コード）がタッチパネル制御部４７に送出される。タッチパネル制御部４７は、記憶装置５０から送られてきた使用機器情報と、タッチパネル制御部４７における使用機器情報とが一致したとき、記憶装置５０に記憶された情報（次に述べる）を使用機器６０に送出する。尚、タッチパネル制御部４７は、予め、使用機器６０との間での情報交換を行い、使用機器６０における使用機器情報（例えば、使用機器６０を特定する識別番号や識別コード）を入手し、タッチパネル制御部４７に記憶しておけばよく、この記憶された使用機器情報を、タッチパネル制御部４７における使用機器情報とすればよい。一方、不一致であった場合、タッチパネル制御部４７は、情報入出力装置の動作を停止させる。
【００２９】
タッチパネル制御部４７が使用機器６０に送出するところの記憶装置５０に記憶された情報（以下、便宜上、『記憶情報』と呼ぶ）として、使用機器６０の使用条件及び／又は使用状態を挙げることができる。この使用機器６０の使用条件及び／又は使用状態（記憶情報）は、記憶装置５０に記憶されており、装着者７０及び配線４１を介してタッチパネル制御部４７に送出される。そして、タッチパネル制御部４７は、使用機器６０の使用条件及び／又は使用状態（記憶情報）に基づき使用機器６０を制御する。具体的には、例えば、タッチパネル制御部４７が、使用機器６０（例えば、パーソナルコンピュータ）を装着者が使用することを許可する情報（記憶情報）に基づく信号を、使用機器６０に送出することで、装着者は、パーソナルコンピュータを使用することが可能となる。あるいは又、具体的には、例えば、タッチパネル制御部４７が、使用機器６０（例えば、パーソナルコンピュータ）を使用することができる時間を示す情報（記憶情報）に基づく信号を、使用機器６０に送出することで、装着者がパーソナルコンピュータを使用することができる時間を規定・制限することが可能となる。あるいは又、具体的には、例えば、タッチパネル制御部４７が、使用機器６０（例えば、パーソナルコンピュータ）において使用することができるアプリケーションやログ情報（記憶情報）に基づく信号を、使用機器６０に送出することで、装着者がパーソナルコンピュータにおいて使用することができるアプリケーションのみに、あるいは、アプリケーション及びデータのみにアクセスすることを可能とする。
【００３０】
以上で、実施例１の情報入出力装置の動作が完了するが、更に、以下の動作を行ってもよい。即ち、装着者が使用機器６０であるパーソナルコンピュータの使用を中止したとき、その旨の信号を使用機器６０から受け取ったタッチパネル制御部４７は、装着者に、タッチパネル４０の所定の位置への指の接触を促す。そして、タッチパネル制御部４７は、装着者がタッチパネル４０の所定の位置に指を接触したことを確認した後、使用機器６０に記憶された使用機器６０の使用状態及び／又は使用条件を記憶装置５０に送出し、記憶装置５０に、使用機器６０の使用状態及び／又は使用条件を記憶する。具体的には、例えば、タッチパネル制御部４７が、使用機器６０であるパーソナルコンピュータにおけるログ情報や設定条件を記憶装置５０に送出することで、装着者は、次回、パーソナルコンピュータを、使用中止の時点と同じ状態で使用することが可能となるし、パーソナルコンピュータで作成したデータを記憶装置５０に送出することで、装着者はデータを記憶装置５０に記録しておくことができる。あるいは又、パーソナルコンピュータを使用することができる時間を示す信号を記憶装置５０に送出することで、装着者は、次回、パーソナルコンピュータを、所定の時間、使用することができる。また、タッチパネル制御部４７は、都度、新たな個人認証情報を記憶装置５０に送出し、記憶装置５０において新たな個人認証情報を書き換えてもよい。
【００３１】
実施例１の情報入出力装置にあっては、記憶装置５０を装着し、タッチパネル４０の所定の位置に接触している装着者７０、及び、タッチ位置を検出するための配線４１を介して、記憶装置５０とタッチパネル制御部４７との間で情報の授受が行われる。従って、情報授受のための特別の電極が不要であり、情報入出力装置１０の構成、構造の簡素化を図ることができる。また、１つの記憶装置５０に基づき、複数の使用機器６０の使用や制御等を行うことが可能となる。
【００３２】
以上、本開示を好ましい実施例に基づき説明したが、本開示はこの実施例に限定されるものではない。情報入出力装置（情報入出力システム）、タッチパネル、記憶装置、電子機器、使用機器等の構成、構造は例示であり、適宜、変更することができる。実施例においては、電子機器によって使用機器を制御する構成を説明したが、電子機器（電子システムあるいは各種システムを含む）を単独で使用することができることは当然である。
【００３３】
例えば、使用機器６０であるパーソナルコンピュータが配置された部屋への入退出のための扉がオートロック機構を備えている場合、室外の扉の近傍にタッチパネル４０を配しておき、上述したと同様に、個人認証情報の照合を行い、装着者の入退出管理を行うことができる。また、これに併せて、オートロック機構を電子機器とし、パーソナルコンピュータを使用機器としたシステムを構築すれば、１つの記憶装置５０を装着した装着者が、特に意識すること無く、部屋への入退出だけでなく、パーソナルコンピュータの使用、管理を行うことができる。
【００３４】
また、例えば、パーソナルコンピュータの表示装置にタッチパネルを組み込み、電子機器をパーソナルコンピュータとすれば、記憶装置を装着し、タッチパネルの所定の位置に接触している装着者、及び、配線を介して、記憶装置とタッチパネル制御部との間で、即ち、記憶装置とパーソナルコンピュータとの間で情報の授受を行うことができる。また、例えば、自動車のインストルメントパネルの表示装置にタッチパネルを組み込み、電子機器をインストルメントパネルにおける電子機器とすれば、記憶装置を装着し、タッチパネルの所定の位置に接触している装着者、及び、配線を介して、記憶装置とタッチパネル制御部との間で、即ち、記憶装置とインストルメントパネルとの間で情報の授受を行うことができる。
【００３５】
あるいは又、レンタカーが置かれた駐車場におけるセキュリティ管理システム、及び、レンタカーの使用管理システムにおいては、タッチパネルが配設された駐車場への装着者の出入り、レンタカーのドアの施錠の解除、レンタカーに配設されたカーナビゲーションシステムにおけるタッチパネルを用いたレンタカーに使用開始等にも、上述したと同様の操作、動作を適用することができるし、これらのシステムを統合したシステムの構築を行うこともできる。
【００３６】
尚、本開示は、以下のような構成を取ることもできる。
［１］《情報入出力装置》
タッチ位置を検出するための配線、及び、配線が接続されたタッチパネル制御部を備えたタッチパネル、並びに、
記憶装置、
から構成されており、
記憶装置を装着し、タッチパネルの所定の位置に接触している装着者、及び、配線を介して、記憶装置とタッチパネル制御部との間で情報の授受が行われる情報入出力装置。
［２］タッチパネルは、投影型の静電容量方式のタッチパネルから成り、
配線は、検出線及び駆動線から成り、
タッチパネルの所定の位置に接触している装着者と検出線又は駆動線との間で容量結合が生じ、以て、記憶装置とタッチパネル制御部との間で情報の授受が行われる［１］に記載の情報入出力装置。
［３］タッチパネル制御部から、配線、及び、記憶装置を装着し、タッチパネルの所定の位置に接触している装着者を介して、記憶装置へと検証開始信号が送出され、
検証開始信号を受け取った記憶装置から、記憶装置を装着し、タッチパネルの所定の位置に接触している装着者、及び、配線を介して、記憶装置に記憶された情報がタッチパネル制御部に送出される［１］又は［２］に記載の情報入出力装置。
［４］装着者のタッチパネルの所定の位置への接触によって、タッチパネル制御部から記憶装置へと検証開始信号の送出が開始される［３］に記載の情報入出力装置。
［５］記憶装置に記憶された情報は個人認証情報を含む［１］乃至［４］のいずれか１項に記載の情報入出力装置。
［６］記憶装置に記憶され、タッチパネル制御部に送出された個人認証情報と、タッチパネル制御部に記憶された個人認証情報との照合を、タッチパネル制御部は行う［５］に記載の情報入出力装置。
［７］使用機器が接続されており、
記憶装置に記憶された情報には使用機器情報が含まれる［１］乃至［６］のいずれか１項に記載の情報入出力装置。
［８］記憶装置に記憶され、タッチパネル制御部に送出された使用機器情報と、タッチパネル制御部における使用機器情報とが一致したとき、タッチパネル制御部は、記憶装置に記憶された情報を使用機器に送出する［７］に記載の情報入出力装置。
［９］記憶装置に記憶された情報は、使用機器の使用条件及び／又は使用状態であり、
タッチパネル制御部は、使用機器の使用条件及び／又は使用状態に基づき使用機器を制御する［８］に記載の情報入出力装置。
［１０］記憶装置に記憶され、タッチパネル制御部に送出された使用機器情報と、タッチパネル制御部における使用機器情報とが一致したとき、タッチパネル制御部は、使用機器に記憶された使用機器の使用状態及び／又は使用条件を記憶装置に送出し、記憶装置に、使用機器の使用状態及び／又は使用条件を記憶する［７］乃至［９］のいずれか１項に記載の情報入出力装置。
［１１］記憶装置に記憶され、タッチパネル制御部に送出された使用機器情報と、タッチパネル制御部における使用機器情報とが一致したとき、タッチパネル制御部は、使用機器に記憶されたデータを記憶装置に送出する［７］乃至［１０］のいずれか１項に記載の情報入出力装置。
【符号の説明】
【００３７】
１０・・・情報入出力装置（情報入出力システム）、２０・・・電子機器、３０・・・表示装置、３１・・・第１基板（画素基板）、３３・・・第１電極（画素電極）、３２・・・第２基板（対向基板）、３４・・・第２電極（共通電極）、３５・・・カラーフィルタ、３６・・・液晶層、３７・・・封止部材、３８・・・接着剤層、４０・・・タッチパネル、４１・・・配線、４２・・・検出線、４３・・・駆動線、４４・・・基材、４５・・・被覆部材、４６・・・アイコン、４７・・・タッチパネル制御部、５０・・・記憶装置（記憶手段）、６０・・・使用機器、６１・・・ＵＳＢケーブル、７０・・・装着者
【図１】
2013186852.tif 000003
【図２】
2013186852.tif 000004
【図３】
2013186852.tif 000005